【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
第１の設定情報を含むＲＲＣ(Radio Resource Control)メッセージと第２の設定情報を含むＲＲＣメッセージを受信し、物理下りリンク制御チャネル(PDCCH)で下りリンク制御情報(DCI)を受信する受信部と、
前記下りリンク制御情報の第１のフィールドが示すビット列と、前記ビット列と時間領域リソース割り当ての対応関係を示すリソース割り当てテーブルと、に基づいて、物理上りリンク共用チャネル(PUSCH)を送信する時間領域リソース割り当てを決定する決定部と、
決定した前記時間領域リソース割り当てに基づいて前記物理上りリンク共用チャネルを送信する送信部と、を備え、
前記下りリンク制御情報を第１のＤＣＩフォーマットで受信し、前記第１の設定情報が第１のパラメータリストを含み、前記第２の設定情報が第２のパラメータリストを含まない場合には、前記リソース割り当てテーブルは前記第１のパラメータリストで定義され、
前記下りリンク制御情報を前記第１のＤＣＩフォーマットで受信し、前記第２の設定情報が前記第２のパラメータリストを含む場合には、前記リソース割り当てテーブルは前記第２のパラメータリストで定義され、
前記下りリンク制御情報を第２のＤＣＩフォーマットで受信し、前記第２の設定情報が第３のパラメータリストを含む場合には、前記リソース割り当てテーブルは前記第３のパラメータリストで定義される、
端末装置。
【請求項２】
第１の設定情報を含むＲＲＣ(Radio Resource Control)メッセージと第２の設定情報を含むＲＲＣメッセージを送信し、物理下りリンク制御チャネル(PDCCH)で下りリンク制御情報(DCI)を送信する送信部と、
物理上りリンク共用チャネル(PUSCH)を送信する時間領域リソース割り当てと、前記下りリンク制御情報の第１のフィールドが示すビット列と時間領域リソース割り当ての対応関係を示すリソース割り当てテーブルと、に基づいて、前記下りリンク制御情報の第１のフィールドが示すビット列を決定する決定部と、
前記時間領域リソース割り当てに基づいて前記物理上りリンク共用チャネルを受信する受信部と、を備え、
前記下りリンク制御情報を第１のＤＣＩフォーマットで送信し、前記第１の設定情報が第１のパラメータリストを含み、前記第２の設定情報が第２のパラメータリストを含まない場合には、前記リソース割り当てテーブルは前記第１のパラメータリストで定義され、
前記下りリンク制御情報を前記第１のＤＣＩフォーマットで送信し、前記第２の設定情報が前記第２のパラメータリストを含む場合には、前記リソース割り当てテーブルは前記第２のパラメータリストで定義され、
前記下りリンク制御情報を第２のＤＣＩフォーマットで送信し、前記第２の設定情報が第３のパラメータリストを含む場合には、前記リソース割り当てテーブルは前記第３のパラメータリストで定義される、
基地局装置。
【請求項３】
端末装置の通信方法であって、
第１の設定情報を含むＲＲＣ(Radio Resource Control)メッセージと第２の設定情報を含むＲＲＣメッセージを受信し、物理下りリンク制御チャネル(PDCCH)で下りリンク制御情報(DCI)を受信し、
前記下りリンク制御情報の第１のフィールドが示すビット列と、前記ビット列と時間領域リソース割り当ての対応関係を示すリソース割り当てテーブルと、に基づいて、物理上りリンク共用チャネル(PUSCH)を送信する時間領域リソース割り当てを決定し、
決定した前記時間領域リソース割り当てに基づいて前記物理上りリンク共用チャネルを送信し、
前記下りリンク制御情報を第１のＤＣＩフォーマットで受信し、前記第１の設定情報が第１のパラメータリストを含み、前記第２の設定情報が第２のパラメータリストを含まない場合には、前記リソース割り当てテーブルは前記第１のパラメータリストで定義され、
前記下りリンク制御情報を前記第１のＤＣＩフォーマットで受信し、前記第２の設定情報が前記第２のパラメータリストを含む場合には、前記リソース割り当てテーブルは前記第２のパラメータリストで定義され、
前記下りリンク制御情報を第２のＤＣＩフォーマットで受信し、前記第２の設定情報が第３のパラメータリストを含む場合には、前記リソース割り当てテーブルは前記第３のパラメータリストで定義される、
通信方法。
【請求項４】
基地局装置の通信方法であって、
第１の設定情報を含むＲＲＣ(Radio Resource Control)メッセージと第２の設定情報を含むＲＲＣメッセージを送信し、物理下りリンク制御チャネル(PDCCH)で下りリンク制御情報(DCI)を送信し、
物理上りリンク共用チャネル(PUSCH)を送信する時間領域リソース割り当てと、前記下りリンク制御情報の第１のフィールドが示すビット列と時間領域リソース割り当ての対応関係を示すリソース割り当てテーブルと、に基づいて、前記下りリンク制御情報の第１のフィールドが示すビット列を決定し、
前記時間領域リソース割り当てに基づいて前記物理上りリンク共用チャネルを受信し、
前記下りリンク制御情報を第１のＤＣＩフォーマットで送信し、前記第１の設定情報が第１のパラメータリストを含み、前記第２の設定情報が第２のパラメータリストを含まない場合には、前記リソース割り当てテーブルは前記第１のパラメータリストで定義され、
前記下りリンク制御情報を前記第１のＤＣＩフォーマットで送信し、前記第２の設定情報が前記第２のパラメータリストを含む場合には、前記リソース割り当てテーブルは前記第２のパラメータリストで定義され、
前記下りリンク制御情報を第２のＤＣＩフォーマットで送信し、前記第２の設定情報が第３のパラメータリストを含む場合には、前記リソース割り当てテーブルは前記第３のパラメータリストで定義される、
通信方法。
【手続補正２】
【補正対象書類名】明細書
【補正対象項目名】０１９６
【補正方法】変更
【補正の内容】
【０１９６】
図１９に示すテーブルでは、端末装置１および／または基地局装置３は、ＰＵＳＣＨに適用するリソース割り当てテーブルをデフォルトテーブルＡ、デフォルトテーブルＢ、ｐｕｓｃｈ−ＣｏｎｆｉｇＣｏｍｍｏｎに含まれるｐｕｓｃｈ−ＴｉｍｅＤｏｍａｉｎＡｌｌｏｃａｔｉｏｎＬｉｓｔ、ｐｕｓｃｈ−Ｃｏｎｆｉｇに含まれるｐｕｓｃｈ−ＴｉｍｅＤｏｍａｉｎＡｌｌｏｃａｔｉｏｎＬｉｓｔ、ｐｕｓｃｈ−ＣｏｎｆｉｇＣｏｍｍｏｎに含まれるｐｕｓｃｈ−ＴｉｍｅＤｏｍａｉｎＡｌｌｏｃａｔｉｏｎＬｉｓｔ２およびｐｕｓｃｈ−Ｃｏｎｆｉｇに含まれるｐｕｓｃｈ−ＴｉｍｅＤｏｍａｉｎＡｌｌｏｃａｔｉｏｎＬｉｓｔ２の中から決定する。
図２０は、本実施形態に係るＰＵＳＣＨに適用するリソース割り当てテーブルの決定法を示すテーブルの別の一例である。図２０に示すテーブルでは、端末装置１および／または基地局装置３は、ＰＵＳＣＨに適用するリソース割り当てテーブルをＰＵＳＣＨデフォルトテーブルＡ、ｐｕｓｃｈ−ＣｏｎｆｉｇＣｏｍｍｏｎに含まれるｐｕｓｃｈ−ＴｉｍｅＤｏｍａｉｎＡｌｌｏｃａｔｉｏｎＬｉｓｔ、ｐｕｓｃｈ−Ｃｏｎｆｉｇに含まれるｐｕｓｃｈ−ＴｉｍｅＤｏｍａｉｎＡｌｌｏｃａｔｉｏｎＬｉｓｔおよびｐｕｓｃｈ−Ｃｏｎｆｉｇに含まれるｐｕｓｃｈ−ＴｉｍｅＤｏｍａｉｎＡｌｌｏｃａｔｉｏｎＬｉｓｔ２の中から決定する。図２０に示すテーブルの例では、ＤＣＩが第４のＤＣＩであり、ｐｕｓｃｈ−Ｃｏｎｆｉｇにｐｕｓｃｈ−ＴｉｍｅＤｏｍａｉｎＡｌｌｏｃａｔｉｏｎＬｉｓｔ２が含まれず、ｐｕｓｃｈ−ＣｏｎｆｉｇＣｏｍｍｏｎにｐｕｓｃｈ−ＴｉｍｅＤｏｍａｉｎＡｌｌｏｃａｔｉｏｎＬｉｓｔが含まれる場合には、ＰＵＳＣＨに適用するリソース割り当てテーブルはｐｕｓｃｈ−ＣｏｎｆｉｇＣｏｍｍｏｎに含まれるｐｕｓｃｈ−ＴｉｍｅＤｏｍａｉｎＡｌｌｏｃａｔｉｏｎＬｉｓｔである。ただし、ＤＣＩが第４のＤＣＩであり、ｐｕｓｃｈ−Ｃｏｎｆｉｇにｐｕｓｃｈ−ＴｉｍｅＤｏｍａｉｎＡｌｌｏｃａｔｉｏｎＬｉｓｔ２が含まれない場合には、ＰＵＳＣＨに適用するリソース割り当てテーブルはＰＵＳＣＨデフォルトテーブルＡまたはＰＵＳＣＨデフォルトテーブルＢであってもよい。